(57)【要約】【課題】  商品取出口から商品排出口に手指を挿入して商品を盗み取る行為を防止できることは勿論のこと、商品排出口から商品受容部への商品排出や商品取出口からの商品取り出しや排出商品の視認を良好に行える自動販売機を提供する【解決手段】  商品受容部１６ｂの内面の商品排出口２０ｃと向き合わない領域にはその平坦な表面と商品受容部１６ｂの内面の間に所定間隔を存する剛性部２６が設けられているので、商品排出口２０ｃの側方から斜めに手指を挿入しようとする行為をこの剛性部２６の存在によって阻止することができる。詳しくは、商品排出口２０ｃの側方から斜めに手指を挿入するときに、この手指の動きを剛性部２６によって制限して自由が利かないようにすることができるので、手指の先が商品排出口２０ｃに達しても商品Ｃを盗み出すには至らない。【選択図】  図５
2005092755.tif 000002
【特許請求の範囲】
【請求項１】
外扉の商品取出口と内扉の商品排出口との間に商品排出口から排出された商品を受け入れる商品受容部を有し、内扉には複数の商品排出口が間隔をおいて並設された自動販売機であって、
商品受容部の内面の商品排出口と向き合わない領域にはその平坦な表面と商品受容部の内面の間に所定間隔を存する剛性部が設けられ、
商品受容部の内面の商品排出口と向き合う領域には剛性部の平坦な表面と連なる平坦な表面を備えたクッション部が設けられている、
ことを特徴とする自動販売機。
【請求項２】
剛性部とクッション部は、商品受容部の内面の底部分に付設された平坦な表面を有する第１の部位をそれぞれ備える、
ことを特徴とする請求項１に記載の自動販売機。
【請求項３】
剛性部とクッション部は、第１の部位から商品取出口に至る壁部分に付設された平坦な表面を有する第２の部位とをそれぞれ備える、
ことを特徴とする請求項２に記載の自動販売機。
【請求項４】
剛性部の平坦な表面とクッション部の平坦な表面は共通のシート部材によって覆われている、
ことを特徴とする請求項１〜３の何れか１項に記載の自動販売機。
【発明の詳細な説明】
【技術分野】
【０００１】
本発明は、キャビネット内の商品コラムから搬出された商品を、内扉の商品排出口を通じて、内扉の商品排出口と外扉の商品搬出口との間に設けられた商品受容部に排出するようにした自動販売機に関する。
【背景技術】
【０００２】
容器入り飲料等の商品を販売する自動販売機は、商品を種別に貯蔵した複数の商品コラムをキャビネット内に有し、商品コラムが設けられた断熱空間を開閉自在に覆う断熱性の内扉を有し、キャビネットの前面開口を開閉自在に覆う外扉を有する。内扉にはフラップドア付きの商品排出口が各商品コラムに対応して複数並設されており、外扉にはフラップドア付きの商品取出口が設けられている。また、外扉には内扉の商品排出口と外扉の商品搬出口との間に位置する商品受容部が設けられ、所定の商品コラムから搬出された商品は内扉の商品排出口を通じてこの商品受容部に排出される。
【０００３】
従来の自動販売機にあっては商品取出口から商品排出口に手指を挿入して商品を盗み取る行為が可能なものが存在していたため、最近の自動販売機では前記の行為を防止する工夫が施されている。
【０００４】
この工夫には主として２つの方式に分けることができ、一方の方式は内扉の商品排出口の手前に防盗用フラップドアを設けてこの防盗用フラップドアによって商品排出口への手指の侵入を妨げるようにしたもので、他方の方式は商品受容部に防盗用仕切り部材を間隔をおいて固定配置してこの防盗用仕切り部材によって商品排出口への手指の侵入を妨げるようにしたものである。勿論、両方式を併用した自動販売機も存在する。
【特許文献１】実開昭５５−１５９４７２号公報
【発明の開示】
【発明が解決しようとする課題】
【０００５】
前記の防盗用フラップドアと防盗用仕切り部材は商品取出口から商品排出口手指の侵入を妨げて商品の盗難を防止する点では何れも効果が得られる。しかし、前記の防盗用フラップドアと防盗用仕切り部材は商品排出口から商品受容部への商品排出を阻害する恐れが高く、往々にして商品排出口から排出された商品が防盗用フラップドアや防盗用仕切り部材に引っ掛かって商品取出口から商品を取り出す際の弊害となったり、商品排出口から排出された商品が防盗用フラップドアや防盗用仕切り部材に隠れてしまって排出された商品の視認の阻害する等の不具合を生じ得る。
【０００６】
本発明は前記事情に鑑みて創作されたもので、その目的とするところは、商品取出口から商品排出口に手指を挿入して商品を盗み取る行為を防止できることは勿論のこと、商品排出口から商品受容部への商品排出や商品取出口からの商品取り出しや排出商品の視認を良好に行える自動販売機を提供することにある。
【課題を解決するための手段】
【０００７】
前記目的を達成するため、本発明は、外扉の商品取出口と内扉の商品排出口との間に商品排出口から排出された商品を受け入れる商品受容部を有し、内扉には複数の商品排出口が間隔をおいて並設された自動販売機であって、商品受容部の内面の商品排出口と向き合わない領域にはその平坦な表面と商品受容部の内面の間に所定間隔を存する剛性部が設けられ、商品受容部の内面の商品排出口と向き合う領域には剛性部の平坦な表面と連なる平坦な表面を備えたクッション部が設けられている、ことをその特徴とする。
【０００８】
商品取出口から商品排出口に手指を挿入して商品を盗み取ろうとする者は、商品取出口から商品排出口に真っ直ぐ手指を挿入すること及びこの状態で商品を取り出すことが困難であることから、商品排出口の側方から斜めに手指を挿入しようとする。
【０００９】
しかし、前記の自動販売機にあっては、商品受容部の内面の商品排出口と向き合わない領域にはその平坦な表面と商品受容部の内面の間に所定間隔を存する剛性部が設けられているので、商品排出口の側方から斜めに手指を挿入しようとする行為をこの剛性部の存在によって阻止することができる。
【００１０】
また、商品受容部の内面の商品排出口と向き合う領域には平坦な表面を備えたクッション部が設けられているので、商品排出口から排出された商品をこのクッション部によって低衝撃で受け止めることができる。しかも、このクッション部は剛性部の平坦な表面と連なる平坦な表面を備えているので、クッション部上に排出された商品が剛性部上に移動する動作を妨げることはない。
【００１１】
さらに、従来のような防盗用フラップドアや防盗用仕切り部材のように商品排出口から商品受容部への商品排出や商品取出口からの商品取り出しや排出商品の視認を妨げる部材が存しないので、商品の排出，商品の視認及び商品の取り出しを良好に行って、購買者に不快感や煩わしさを感じさせることなく所期の商品販売を円滑に行うことができる。
【発明の効果】
【００１２】
本発明によれば、商品取出口から商品排出口に手指を挿入して商品を盗み取る行為を防止できることは勿論のこと、商品排出口から商品受容部への商品排出や商品取出口からの商品取り出しや排出商品の視認を良好に行える。
【００１３】
本発明の前記目的とそれ以外の目的と、構成特徴と、作用効果は、以下の説明と添付図面によって明らかとなる。
【発明を実施するための最良の形態】
【００１４】
図１〜図７は本発明の一実施形態を示すもので、図１は自動販売機の外観斜視図、図２は図１から外扉を排除した斜視図、図３は図２から内扉を排除した斜視図、図４は図１に示した自動販売機における商品受容部部分の横断面図、図５は図４のａ−ａ線断面図、図６は図４のｂ−ｂ線断面図、図７は盗難防止作用の説明図である。
【００１５】
この自動販売機は缶入り飲料や瓶入り飲料やペットボトル入り飲料等を販売するためのもので、前面を開口した箱形のキャビネット１と、キャビネット１の前面開口を開閉自在に覆う外扉２とを備える。外扉２はその幅方向左端部を、キャビネット１の上面左側に設けられたブラケット３と下側張出部分に回転自在に支持されている。
【００１６】
外扉２前面の上部にはガラスや透明樹脂等から成る透明板４が設けられ、その裏側にはサンプル室（符号無し）が設けられている。サンプル室内には複数のサンプル載置台５が設けられ、各々の上には収納商品に対応した複数の商品サンプル６が交換可能に載置されている。また、透明板５の前面には各商品サンプル６に対応した商品選択ボタン７が設けられている。
【００１７】
また、外扉２前面の透明板４の左下側にはガラスや透明樹脂等から成る透明板８が設けられ、その裏側には広告室（符号無し）が設けられている。広告室内にはポスター等の広告媒体９が交換可能に取り付けられている。
【００１８】
さらに、外扉２前面の透明板４の右下側には、ロック用操作レバー１０と、硬貨投入口１１と、返却レバー１２と、表示部１３と、紙幣投入口１４と、硬貨返却口１５が設けられている。操作レバー１０は外扉２の内側に設けられたロック機構（図示省略）を動作するためのもので、専用キーによる操作によって使用可能な状態となる。さらに、外扉２前面の下部には商品取出口１６が設けられていて、この商品取出口１６には透明樹脂等から成るフラップドア１７が設けられている。このフラップドア１７はその上端に設けられた軸１７ａ（図５参照）を商品取出口１６の背面側左右に設けられた支持板１６ａに回転自在に支持されている。
【００１９】
キャビネット１内にはキャビネット内壁と隔壁２２で囲まれた前面開口の断熱室ＨＩＲ（図６参照）が設けられ、隔壁２２の下側空間は機械室ＭＲ（図６参照）となっている。断熱室ＨＩＲ内にはサーペンタイン式コラム等から成る商品コラム２４が断熱性の仕切り板２３を介して複数個（図中は４個）収容されている。因みに、断熱室ＨＩＲを構成するキャビネット内壁は表面板とその内部に設けられた断熱材（何れも符号無し）とから構成され、また、隔壁２２は表面板２２ａとその内部に設けられた断熱材２２ｂとから構成されている。各商品コラム２４は上部に商品補充口２４ａを有し、収納商品を１個宛落下搬出するための商品搬出機（図示省略）をその下部に有する。また、各商品コラム２４の下側には、落下搬出された商品Ｃ（図６参照）を前方に導くための傾斜板２５が設けられ、この傾斜板２５は隔壁２２に固着されている。
【００２０】
また、キャビネット１内には、断熱室ＨＩＲの前面開口を開閉自在に覆う断熱性の内扉１８が設けられている。この内扉１８はその幅方向左端部に設けられた筒状部品１９を、キャビネット１の左側内面に設けられた軸受部品１ａに回転自在に支持されている。因みに、内扉１８は表面板１８ａとその内部に設けられた断熱材１８ｂとから構成され全体が矩形状を成している。
【００２１】
図２及び図６から分かるように、内扉１８の下部には前記傾斜板２５それぞれに対応してユニット取付口１８ｃが複数個（図中は４個）並設されており、各ユニット取付口１８ｃには排出口ユニット２０が固着されている。この排出口ユニット２０は、枠部材２０ａとその内側に設けられたフラップドア２０ｂとを備えており、枠部材２０ａの内孔が商品排出口２０ｃとなっている。このフラップドア２０ｂはその上端に設けられた軸２０ｂ１を枠部材２０ａの内面後側上端に回転自在に支持されている。また、枠部材２０ａには取付フランジ２０ａ１が設けられ、その内面にはフラップドア２０ｂの後方回転を規制するストッパー２０ａ２が設けられている。この排出口ユニット２０は枠部材２０ａの取付フランジ２０ａ１よりも後側部分をユニット取付口１８ｃに挿入し、取付フランジ２０ａ１をネジ止め等の手法によって内扉１８に取り付けられている。
【００２２】
また、内扉１８の幅方向右端部には内扉１８のロック及びロック解除と開閉を行うためのハンドル部２１が設けられている。このハンドル部２１は、ハンドル２１ａとこれを回転自在に支持する取付部品２１ｂとから成り、取付部材２１ｂはネジ止め等の手法によって内扉１８に取り付けられている。図示を省略したが、キャビネット１の右側内面にはハンドル２１ａの右端部と係合可能なロック片が設けられていて、ハンドル２１ａの左端部を上方に持ち上げることで右端部とロック片との係合を解き、ハンドル２１ａの左端部を下方に押し下げることで右端部をロック片に係合させて内扉１８の背面をパッキンＰＫを介してキャビネット内壁と隔壁２２の前面と仕切り板２３の前面に圧接することができる。
【００２３】
前記外扉２の商品取出口１６の背面側には、内扉１８の商品排出口２０ｃから排出された商品Ｃを受け入れるための横長凹状の商品受容部１６ｂが設けられている。
【００２４】
この商品受容部１６ｂの内面の商品排出口２０ｃと向き合わない領域にはその平坦な表面と商品受容部１６ｂの内面との間に所定間隔を存する計３個の剛性部２６が設けられている（図４及び図５参照）。この剛性部２６はステンレス等から成る所定幅の金属板を屈曲して形成されたもので、商品受容部１６ｂの内面の底部分に付設された平坦な表面（上面）を有する第１の部位２６ａと、第１の部位２６ａから商品取出口１６に至る壁部分に付設された平坦な表面（背面及び上面）を有する第２の部位２６ｂとを備えており、第１の部位２６ａの内側には硬質プラスチック等から成る直方体形状のスペーサＳＰ１が設けられ、第２の部位２６ｂの内側には硬質プラスチック等から成る直方体形状のスペーサＳＰ２が設けられている。このスペーサＳＰ１及びＳＰ２は剛性部２６の内側空隙を埋めるため及び剛性確保のために用いられたものであって剛性部２６のみで所期の剛性が確保できる場合には必ずしも必要なものではない。剛性部２６を上から見たときの幅寸法中心は内扉１８のユニット取付口１８ｃ間部分の幅方向中心とほぼ一致していて、各剛性部２６を上から見たときの幅寸法はユニット取付口１８ｃ間部分の幅寸法よりも小さい。
【００２５】
また、商品受容部１６ｂの内面の商品排出口２０ｃと向き合う領域には前記剛性部２６の平坦な表面と連なる平坦な表面を備えた計４個のクッション部２７が設けられている（図４及び図６参照）。このクッション部２７は発泡ウレタン等の弾性材料から成り、剛性部２６の第１の部位２６ａの平坦な表面（上面）と連なる平坦な表面（上面）を有する直方体形状の第１の部位２７ａと、剛性部２６の第２の部位２６ｂの平坦な表面（背面及び上面）と連なる平坦な表面（背面及び上面）を有する直方体形状の第２の部位２７ｂとを備えている。各クッション部２７を上から見たときの幅寸法中心は内扉１８のユニット取付口１８ｃの幅寸法中心のとほぼ一致していて、各クッション部２７を上から見たときの幅寸法はユニット取付口１８ｃの幅寸法よりも大きい。
【００２６】
因みに、請求範囲でも使用した「連なる」の用語は、段差無く或いは僅かな段差を介して並び続くことを意味する。
【００２７】
さらに、前記各剛性部２６の平坦な表面と各クッション部２７の平坦な表面は共通の１枚のシート部材２８によって覆われている。このシート部材２８は合成ゴムや軟質プラスチックから矩形状に形成されていて、前側縁を商品取出口１６の下縁内側に設けた環状固定部１６ｃに差し込まれて固定されると共に、後側縁を商品受容部１６ｂの後壁片１６ｄに接着剤等を用いて固着され、さらに前側縁と後側縁の間の部分を各剛性部２６の表面及び各クッション部２７の表面に接着剤等を用いて固着されている。このシート部材２８は緩みがない状態で被覆されているので、図示例のように剛性部２６とクッション部２７との間に隙間が存する場合でもこの隙間によってシート部材２８の表面に凹部が形成されることはない。
【００２８】
前述の自動販売機にあっては、販売価格以上の硬貨または紙幣が投入された後に商品選択ボタン７が押されると、選択商品Ｃが所定の商品コラム２４から傾斜板２５上に落下搬出される。落下搬出された商品Ｃは、図６に示すように、傾斜板２５の傾斜に従って前方に移動して内扉１８のフラップドア２０ｂを押し退け、商品排出口２０ｃを通じてこの商品排出口２０ｃと向き合う領域に設けられたクッション部２７上、詳しくはクッション部２７の第１の部位２７ａの平坦は表面（上面）を覆うシート部材２８上に排出される。商品受容部１６ｂ内に排出された商品Ｃは、商品取出口１６のフラップドア１７を開けることで外部に取り出すことができる。
【００２９】
商品取出口１６から商品排出口２０ｃに手指を挿入して商品Ｃを盗み取ろうとする者は、商品取出口１６から商品排出口２０ｃに真っ直ぐ手指を挿入すること及びこの状態で商品Ｃを取り出すことが困難であることから、図７に太線矢印で示すように、商品排出口２０ｃの側方から斜めに手指を挿入しようとする。
【００３０】
しかし、前述の自動販売機にあっては、商品受容部１６ｂの内面の商品排出口２０ｃと向き合わない領域にはその平坦な表面と商品受容部１６ｂの内面の間に所定間隔を存する剛性部２６が設けられているので、商品排出口２０ｃの側方から斜めに手指を挿入しようとする行為をこの剛性部２６の存在によって阻止することができる。詳しくは、図７に太線矢印で示すように、商品排出口２０ｃの側方から斜めに手指を挿入するときに、この手指の動きを剛性部２６によって制限して自由が利かないようにすることができるので、手指の先が商品排出口２０ｃに達しても商品Ｃを盗み出すには至らない。
【００３１】
また、商品受容部１６ｂの内面の商品排出口２０ｃと向き合う領域には平坦な表面を備えたクッション部２７が設けられているので、商品排出口２０ｃから排出された商品Ｃをこのクッション部２７によって低衝撃で受け止めることができる。しかも、このクッション部２７は剛性部２６の平坦な表面と連なる平坦な表面を備えているので、クッション部２７上に排出された商品Ｃが剛性部２６上に移動する動作を妨げることはない。
【００３２】
さらに、従来のような防盗用フラップドアや防盗用仕切り部材のように商品排出口２０ｃから商品受容部１６ｂへの商品排出や商品取出口１６からの商品取り出しや排出商品Ｃの視認を妨げる部材が存しないので、商品Ｃの排出，商品Ｃの視認及び商品Ｃの取り出しを良好に行って、購買者に不快感や煩わしさを感じさせることなく所期の商品販売を円滑に行うことができる。
【００３３】
さらに、前記の剛性部２６は、商品受容部１６ｂの内面の底部分に付設された平坦な表面（上面）を有する第１の部位２６ａと、該第１の部位２６ａから商品取出口１６に至る壁部分に付設された平坦な表面（背面及び上面）を有する第２の部位２６ｂとを備えているので、第１の部位２６ａと第２の部位２６ｂとの協働によって商品排出口２０ｃの側方から斜めに手指を挿入しようとする行為をより確実に阻止することができる。
【００３４】
さらに、前記のクッション部２７も、剛性部２６の第１の部位２６ａの表面（上面）と第２の部位２６ｂの表面（背面及び上面）に連なる表面を備えた第１の部位２７ａと第２の部位２７ｂを備えているので、商品取出口１６内の見栄えを低下させるよう段差は存在せず、これにより商品取出口１６またはそのフラップドア１７を通じて商品受容部１６ｂ内を見たときの美観を向上させることができる。
【００３５】
さらに、剛性部２６の平坦な表面とクッション部２７の平坦な表面が共通のシート部材２８によって覆われているので、剛性部２６とクッション部２７との間に商品Ｃが入り込まないような微小な隙間が存在する場合でも、この隙間を隠蔽することで前記美観をより一層向上させることができる。
【００３６】
尚、前述の実施形態では、剛性部２６の表面とクッション部２７の表面を共通のシート部材２８で被覆したものを示したが、図８に示すように、シート部材２８を除外した構成しても構わない。この場合には、隣接する剛性部２６とクッション部２７との間の隙間に排出商品Ｃが落ち込んだり排出商品Ｃを取り出す際に引っ掛かったりすることを回避するために前記隙間を極力小さくすることが望ましい。
【００３７】
また、前述の実施形態では、別々に形成された剛性部２６とクッション部２７とを交互に並べて配置したものを示したが、剛性部とクッション部を１つの部品として構成したものを用いてもよい。図９はその一例を示すもので、この部品は、第１の部位に相当する部分２９ａと第２の部位に相当する部分２９ｂを有する断面Ｌ字形のクッション部２９に、金属板を折り曲げて構成した剛性部３０を間隔をおいて取り付けて構成されている。このような部品を用いれば、商品受容部１６ｂに剛性部及びクッション部を配する作業を簡単に行える利点がある。
【００３８】
さらに、前述の実施形態では、剛性部２６として第２の部位２６ｂを有するものを用い、且つ、クッション部２７として第２の部位２７ｂを有するものを用いたが、第２の部位２６ｂを有しないものを剛性部として用い、且つ、第２の部位２７ｂを有しないものをクッション部として用いても同様の作用効果を得ることは可能である。
【図面の簡単な説明】
【００３９】
【図１】本発明の一実施形態を示す自動販売機の外観斜視図である。
【図２】図１から外扉を排除した斜視図である。
【図３】図２から内扉を排除した斜視図である。
【図４】図１に示した自動販売機における商品受容部部分の横断面図である。
【図５】図４のａ−ａ線断面図である。
【図６】図４のｂ−ｂ線断面図である。
【図７】盗難防止作用の説明図である。
【図８】図１に示した自動販売機の変形例を示す図４対応の横断面図である。
【図９】図１に示した自動販売機で用いた剛性部とクッション部の代用部品の一例を示す斜視図である。
【符号の説明】
【００４０】
１…キャビネット、２…外扉、１６…商品取出口、１６ｂ…商品受容部、１８…内扉、１８ｃ…商品排出口、２６…剛性部、２６ａ…第１の部位、２６ｂ…第２の部位、２７…クッション部、２７ａ…第１の部位、２７ｂ…第２の部位、２８…シート部材、２９…クッション部、２０…剛性部。
【図１】
2005092755.tif 000003
【図２】
2005092755.tif 000004
【図３】
2005092755.tif 000005
【図４】
2005092755.tif 000006
【図５】
2005092755.tif 000007
【図６】
2005092755.tif 000008
【図７】
2005092755.tif 000009
【図８】
2005092755.tif 000010
【図９】
2005092755.tif 000011